(57)【特許請求の範囲】
【請求項１】
感光体ドラムに静電潜像を形成する光走査装置であって、
ビーム光を出射する光源部と、
前記光源部から出射された前記ビーム光を平行光束に補正するビーム補正器と、
前記ビーム補正器を通過した前記ビーム光を収束させるビーム収束器と、
前記ビーム補正器と前記ビーム収束器との間に配置された第１ミラーと、
前記第１ミラーに対して前記ビーム光の下流側に配置された第２ミラーと、
前記第１ミラー及び前記第２ミラーを、それぞれ、固定する第１ミラー受け部及び第２ミラー受け部と、
前記光源部、前記ビーム補正器、前記ビーム収束器、前記第１ミラー、前記第２ミラー、前記第１ミラー受け部及び前記第２ミラー受け部を収納するケーシングと
を備え、
前記第１ミラー受け部は、前記第１ミラーを支持する第１ベースを有し、
前記第２ミラー受け部は、前記第２ミラーを支持する第２ベースを有し、
前記第２ベースの金型抜き方向が前記第１ベースの金型抜き方向と逆方向となるように、前記第１ベース及び前記第２ベースが前記ケーシングに配置され、
前記第１ベースは、前記ケーシングの一方側の面に立設して形成され、
前記第２ベースは、前記ケーシングの他方側の面に立設して形成される、光走査装置。
【請求項２】
前記第１ベースは、第１ミラー支持面を有し、
前記第１ミラーは、前記第１ミラー支持面に押圧されて固定され、
前記第２ベースは、第２ミラー支持面を有し、
前記第２ミラーは、前記第２ミラー支持面に押圧されて固定される、請求項１に記載の光走査装置。
【請求項３】
前記第２ミラー支持面の傾斜角は、前記第１ミラー支持面の傾斜角と略同一である、請求項２に記載の光走査装置。
【請求項４】
前記光源部は、予め設定された２個以上の所定数個配置され、
前記ビーム補正器及び前記第１ミラーは、前記光源部に対応付けて、前記所定数個配置され、
前記第２ミラーは、１個配置され、
前記第１ミラーの反射光は、前記第２ミラーに入射する、請求項１から請求項３のいずれか１項に記載の光走査装置。
【請求項５】
記録媒体上に画像を形成する画像形成部を備え、
前記画像形成部は、請求項１から請求項４のいずれか１項に記載の光走査装置を有する、画像形成装置。
【発明の詳細な説明】
【技術分野】
【０００１】
本発明は、光走査装置、及び、画像形成装置に関する。
【背景技術】
【０００２】
従来、光走査装置において、ビーム収束器に入射するレーザービームの位置ずれを抑制する種々の技術が知られている。
【０００３】
例えば、コリメーターレンズとウェッジプリズムとの間に、平行平板を回動自在に配置する光走査装置が開示されている（特許文献１参照）。
【０００４】
特許文献１には、平行平板の回動量を適当に調節することによって、レーザービームをビーム収束器の入射面の中央近傍に入射させることができると記載されている。
【先行技術文献】
【特許文献】
【０００５】
【特許文献１】特開２００２−３５０７６３号公報
【発明の概要】
【発明が解決しようとする課題】
【０００６】
しかしながら、特許文献１に記載の光走査装置では、平行平板を設ける必要があるため、部品点数が増大し、製造コストが増加することになる。
【０００７】
本発明は、上記課題に鑑みてなされたものであり、簡素な構成でビーム収束器に入射するレーザービームの位置ずれを抑制することを目的としている。
【課題を解決するための手段】
【０００８】
本発明の光走査装置は、感光体ドラムに静電潜像を形成する光走査装置であって、光源部、ビーム補正器、ビーム収束器、第１ミラー、第２ミラー、第１ミラー受け部、及び、第２ミラー受け部を備える。前記光源部は、ビーム光を出射する。前記ビーム補正器は、前記光源部から出射された前記ビーム光を平行光束に補正する。前記ビーム収束器は、前記ビーム補正器を通過した前記ビーム光を収束させる。前記第１ミラーは、前記ビーム補正器と前記ビーム収束器との間に配置されている。前記第２ミラーは、前記第１ミラーに対して前記ビーム光の下流側に配置されている。前記第１ミラー受け部及び第２ミラー受け部は、それぞれ、前記第１ミラー及び前記第２ミラーを固定する。前記第１ミラー受け部は、前記第１ミラーを支持する第１ベースを有し、前記第２ミラー受け部は、前記第２ミラーを支持する第２ベースを有する。前記第２ベースの金型抜き方向が、前記第１ベースの金型抜き方向と逆方向となるように配置されている。
【０００９】
本発明の画像形成装置は、記録媒体上に画像を形成する画像形成部を備え、前記画像形成部は、前記光走査装置を有する。
【発明の効果】
【００１０】
本発明の光走査装置及び画像形成装置によれば、簡素な構成でビーム収束器に入射するレーザービームの位置ずれを抑制することができる。
【図面の簡単な説明】
【００１１】
【図１】本発明の実施形態に係る画像形成装置の構成を示す側面図である。
【図２】図１に示す画像形成ユニット及び転写部の構成を示す側面図である。
【図３】図２に示す露光部の構成を示す図である。
【図４】図３に示す露光部のビーム生成部の構成を示す斜視図である。
【図５】図４に示すビーム生成部の構成部品を装着しない状態のケーシングを示す斜視図である。
【図６】図４に示す第１ミラー近傍の拡大図である。
【図７】図６に示すビーム生成部の構成部品を装着しない状態のケーシングを示す斜視図である。
【図８】図４に示す露光部のビーム生成部を第１ミラーの裏面側から見た斜視図である。
【図９】図６に示すビーム生成部の構成部品を装着しない状態のケーシングを示す斜視図である。
【発明を実施するための形態】
【００１２】
以下、本発明の実施形態について、図面（図１〜図９）を参照しながら説明する。なお、図中、同一又は相当部分については同一の参照符号を付して説明を繰り返さない。
【００１３】
まず、図１を参照して、本実施形態に係る画像形成装置１について説明する。図１は、本実施形態に係る画像形成装置１の構成を示す図である。本実施形態において画像形成装置１は、カラー複写機である。
【００１４】
図１に示すように、画像形成装置１は、用紙Ｐ上に画像を形成する装置であって、筐体１０、給紙部２、搬送部Ｌ、トナー補給ユニット３、画像形成ユニット４、転写部５、定着部７、及び、排出部８を備える。
【００１５】
給紙部２は、筐体１０の下部に配置され、用紙Ｐを搬送部Ｌへ供給する。給紙部２は、複数枚の用紙Ｐを収容可能であって、最上部の用紙Ｐを１枚ずつ搬送部Ｌへ供給する。
【００１６】
搬送部Ｌは、給紙部２によって供給された用紙Ｐを、転写部５及び定着部７を経由して排出部８まで搬送する。
【００１７】
トナー補給ユニット３は、画像形成ユニット４にトナーを供給する容器であって、４つのトナーカートリッジ３ｃ、３ｍ、３ｙ、及び、３ｋを備える。トナーカートリッジ３ｃには、シアン色のトナーが収容される。トナーカートリッジ３ｍには、マゼンタ色のトナーが収容される。トナーカートリッジ３ｙには、イエロー色のトナーが収容される。トナーカートリッジ３ｋには、ブラック色のトナーが収容される。
【００１８】
以下、トナーカートリッジ３ｃ、３ｍ、３ｙをカラートナーカートリッジ３１と記載し、トナーカートリッジ３ｋをブラックトナーカートリッジ３２と記載する場合がある。
【００１９】
転写部５は、中間転写ベルト５４を備える。転写部５は、画像形成ユニット４によって、中間転写ベルト５４上に形成されたトナー像を、用紙Ｐ上に転写する。転写部５の構成については、図２を参照して後述する。
【００２０】
画像形成ユニット４は、中間転写ベルト５４上にトナー像を形成する。画像形成ユニット４には、各カラートナーカートリッジ３１とブラックトナーカートリッジ３２とから、それぞれ、各カラートナーとブラックトナーとが供給される。詳しくは、画像形成ユニット４は、４つの画像形成部４ｃ、４ｍ、４ｙ、４ｋを含む。画像形成部４ｃには、トナーカートリッジ３ｃからシアントナーが供給される。画像形成部４ｍには、トナーカートリッジ３ｍからマゼンタトナーが供給される。画像形成部４ｙには、トナーカートリッジ３ｙからイエロートナーが供給される。画像形成部４ｋには、トナーカートリッジ３ｋからブラックトナーが供給される。画像形成ユニット４の構成については、図２を参照して後述する。
【００２１】
定着部７は、転写部５によって用紙Ｐに形成されたトナー像を定着するローラー対であって、加熱ローラー７１及び加圧ローラー７２を備える。用紙Ｐは、加熱ローラー７１及び加圧ローラー７２によって加熱及び加圧される。その結果、定着部７によって、転写部５において用紙Ｐに転写された未定着のトナー像が定着される。
【００２２】
排出部８は、トナー像が定着された用紙Ｐを装置の外部へ排出する。
【００２３】
次に、図２を参照して画像形成ユニット４及び転写部５の構成について説明する。図２は、画像形成ユニット４及び転写部５の構成を示す側面図である。
【００２４】
画像形成部４ｃ、４ｍ、４ｙ、４ｋは、それぞれ、露光部４１、感光体ドラム４２、現像部４３、帯電ローラー４４、及び、クリーニングブレード４５を備える。４つの画像形成部４ｃ、４ｍ、４ｙ、４ｋの構成は、供給されるトナーの色が異なるのみでその他の構成は略同一である。したがって、本明細書では、シアントナーが供給される画像形成部４ｃの構成について説明し、画像形成部４ｃ以外の画像形成部４ｍ、４ｙ、４ｋの構成についての説明は省略する。
【００２５】
画像形成部４ｃは、露光部４１ｃ（４１）、感光体ドラム４２ｃ（４２）、現像部４３ｃ（４３）、帯電ローラー４４ｃ（４４）、及び、クリーニングブレード４５ｃ（４５）を有する。
【００２６】
帯電ローラー４４ｃは、感光体ドラム４２ｃを所定の電位に帯電させる。露光部４１ｃは、感光体ドラム４２ｃにレーザー光を照射して露光し、感光体ドラム４２ｃ上に静電潜像を形成する。現像部４３ｃは、現像ローラー４３１ｃを有する。現像ローラー４３１ｃは、感光体ドラム４２ｃにシアントナーを供給して上記静電潜像を現像してトナー像を形成する。このようにして、感光体ドラム４２ｃの周面にシアン色のトナー像が形成される。
【００２７】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアントナーが除去される。
【００２８】
転写部５は、用紙Ｐ（図１参照）にトナー像を転写する。転写部５は、４つの１次転写ローラー５１（５１ｃ、５１ｍ、５１ｙ、５１ｋ）、２次転写ローラー５２、駆動ローラー５３、中間転写ベルト５４、及び、従動ローラー５５を備える。
【００２９】
転写部５は、各画像形成部４ｃ、４ｍ、４ｙ、４ｋの感光体ドラム４２（４２ｃ、４２ｍ、４２ｙ、４２ｋ）に形成された各トナー像を重ねて中間転写ベルト５４に転写した後、重ねられたトナー像を中間転写ベルト５４から用紙Ｐ（図１参照）に転写する。
【００３０】
１次転写ローラー５１ｃは、中間転写ベルト５４を介して感光体ドラム４２ｃに対向して配置される。１次転写ローラー５１ｃは、不図示の駆動機構によって中間転写ベルト５４を介して感光体ドラム４２ｃに圧接したり、感光体ドラム４２ｃから離れたりすることができる。１次転写ローラー５１ｃは、通常、中間転写ベルト５４を介して感光体ドラム４２ｃに圧接されている。１次転写ローラー５１ｍ、５１ｙ、５１ｋも１次転写ローラー５１ｃと同様に、それぞれ対応する感光体ドラム４２（４２ｍ、４２ｙ、又は４２ｋ）に中間転写ベルト５４を介して圧接されている。
【００３１】
駆動ローラー５３は、２次転写ローラー５２に対向して配置され、中間転写ベルト５４を駆動する。
【００３２】
中間転写ベルト５４は、４つの１次転写ローラー５１、駆動ローラー５３、及び、従動ローラー５５に張架された無端ベルトである。中間転写ベルト５４は、駆動ローラー５３によって、図２では矢印Ｆ１、Ｆ２に示す通り、反時計回りに回転駆動される。また、中間転写ベルト５４は、その表面側が各感光体ドラム４２（４２ｃ、４２ｍ、４２ｙ、４２ｋ）の周面に、それぞれ、当接している。中間転写ベルト５４の表面には、１次転写ローラー５１（５１ｃ、５１ｍ、５１ｙ、５１ｋ）によって、感光体ドラム４２（４２ｃ、４２ｍ、４２ｙ、４２ｋ）からトナー像が転写される。
【００３３】
中間転写ベルト５４は、具体的には、例えば、ポリイミド、ポリカーボネート、及び、ポリフッ化ビニリデンのような樹脂製のシームレスベルトである。
【００３４】
従動ローラー５５は、中間転写ベルト５４の回転に伴って回転駆動される。従動ローラー５５に、中間転写ベルト５４を介して対向する位置には、ブレード５６が配置されている。ブレード５６は、中間転写ベルト５４の表面に残留しているトナーを除去する。
【００３５】
２次転写ローラー５２は、駆動ローラー５３に押圧されている。これにより、２次転写ローラー５２と駆動ローラー５３との間にニップ部Ｎが形成される。２次転写ローラー５２及び駆動ローラー５３は、用紙Ｐがニップ部Ｎを通過する際に、中間転写ベルト５４上のトナー像を用紙Ｐ（図１参照）に転写する。
【００３６】
次に、図３を参照して、図２に示す露光部４１の構成について説明する。図３は、露光部４１の構成を示す図である。露光部４１は、「光走査装置」の一例に相当する。露光部４１は、ビーム生成部９、シリンドリカルレンズ４１４、第２アパーチャー４１５、ポリゴンミラー４１６、ｆ−θレンズ４１７、及び、ＢＤセンサー４１８を備えている。ビーム生成部９は、光源部４１１、コリメートレンズ４１２、及び、第１アパーチャー４１３を含む。
【００３７】
光源部４１１は、図略のレーザー制御部から供給される駆動電流に応じた光量のレーザー光を出力する。コリメートレンズ４１２は、光源部４１１から出力されるレーザー光を平行光に変換する。コリメートレンズ４１２は、「ビーム補正器」の一例に相当する。第１アパーチャー４１３及び第２アパーチャー４１５は、平行光線に変換されたレーザー光を所望のビームスポット径に整形する。
【００３８】
シリンドリカルレンズ４１４は、平行光をポリゴンミラー４１６の反射面に結像させる。シリンドリカルレンズ４１４は、「ビーム収束器」の一例に相当する。ポリゴンミラー４１６は、入射光を感光体ドラム４２に向けて反射させる反射面を複数（本実施形態では、５個）有し、図略の駆動モーターの駆動力によって、例えば、図３の矢印方向（図３では、時計回り）に一定速度で回転する。
【００３９】
ポリゴンミラー４１６は、シリンドリカルレンズ４１４からのレーザー光を反射する。ｆ−θレンズ４１７は、ポリゴンミラー４１６によって反射されたレーザー光を、感光体ドラム４２の周面上に結像する。感光体ドラム４２に結像されるレーザー光は、所定の径を有するスポット状に結像される。ＢＤセンサー４１８は、レーザー光の走査領域内であって、感光体ドラム４２の端部から所定距離離れた位置に設けられている。ＢＤセンサー４１８は、レーザー光を受光すると、レーザー光を受光したことを示す検出信号を上記レーザー制御部に出力する。
【００４０】
次に、図４を参照して、光源部４１１、コリメートレンズ４１２、及び、第１アパーチャー４１３までの具体的な配置について説明する。図４は、露光部４１のビーム生成部９の構成を示す斜視図である。ビーム生成部９は、光源部４１１、コリメートレンズ４１２、及び、第１アパーチャー４１３に加えて、ケーシング９０、第１ミラー９１、及び、第２ミラー９２を更に備える。
【００４１】
ケーシング９０は、例えば、樹脂製であって、光源部４１１、コリメートレンズ４１２、第１ミラー９１、第２ミラー９２、及び、第１アパーチャー４１３が配置される筐体である。
【００４２】
光源部４１１は、４つの感光体ドラム４２ｃ、４２ｍ、４２ｙ、４２ｋに向けて、それぞれ、レーザー光を出射する４つの光源部４１１ｃ、４１１ｍ、４１１ｙ、４１１ｋを備えている。４つの光源部４１１ｃ、４１１ｍ、４１１ｙ、４１１ｋは、ケーシング９０の上端部に、幅方向に（図４の左右方向）一列に配置されている。また、４つの光源部４１１ｃ、４１１ｍ、４１１ｙ、４１１ｋは、上端位置が、順次下側に位置するように配置されている。
【００４３】
具体的には、光源部４１１ｃの上端位置は、光源部４１１ｍの上端位置より上側に位置する。光源部４１１ｍの上端位置は、光源部４１１ｙの上端位置より上側に位置する。光源部４１１ｙの上端位置は、光源部４１１ｋの上端位置より上側に位置する。
【００４４】
コリメートレンズ４１２は、４つの光源部４１１ｃ、４１１ｍ、４１１ｙ、４１１ｋから出射されたレーザー光を、それぞれ、平行光に変換する４つのコリメートレンズ４１２ｃ、４１２ｍ、４１２ｙ、４１２ｋを備えている。４つのコリメートレンズ４１２ｃ、４１２ｍ、４１２ｙ、４１２ｋは、ケーシング９０の略中央部に、幅方向に（図４の左右方向）一列に配置されている。また、４つのコリメートレンズ４１２ｃ、４１２ｍ、４１２ｙ、４１２ｋは、上端位置が、順次下側に位置するように配置されている。
【００４５】
具体的には、コリメートレンズ４１２ｃの上端位置は、コリメートレンズ４１２ｍの上端位置より上側に位置する。コリメートレンズ４１２ｍｙの上端位置は、コリメートレンズ４１２ｙの上端位置より上側に位置する。コリメートレンズ４１２ｙの上端位置は、コリメートレンズ４１２ｋの上端位置より上側に位置する。
【００４６】
第１ミラー９１は、コリメートレンズ４１２を通過したレーザー光が入射され、入射されたレーザー光を第２ミラー９２へ向けて反射する。第１ミラー９１は、４つの第１ミラー９１ｃ、９１ｍ、９１ｙ、９１ｋを備えている。４つの第１ミラー９１ｃ、９１ｍ、９１ｙ、９１ｋには、４つのコリメートレンズ４１２ｃ、４１２ｍ、４１２ｙ、４１２ｋをそれぞれ通過したレーザー光が入射され、入射されたレーザー光を第２ミラー９２へ向けて反射する。
【００４７】
第１ミラー９１ｃの反射光は、第１ミラー９１ｍ、９１ｙ、９１ｋの上側を経由して、第２ミラー９２に到達する。第１ミラー９１ｍの反射光は、第１ミラー９１ｙ、９１ｋの上側を経由して、第２ミラー９２に到達する。第１ミラー９１ｙの反射光は、第１ミラー９１ｋの上側を経由して、第２ミラー９２に到達する。換言すれば、４つの第１ミラー９１ｃ、９１ｍ、９１ｙ、９１ｋは、ケーシング９０に対する上端位置が、順次下側に位置するように配置されている。
【００４８】
具体的には、第１ミラー９１ｃの上端位置は、第１ミラー９１ｍの上端位置より上側に位置する。第１ミラー９１ｍの上端位置は、第１ミラー９１ｙの上端位置より上側に位置する。第１ミラー９１ｙの上端位置は、第１ミラー９１ｋの上端位置より上側に位置する。
【００４９】
第２ミラー９２には、４つの第１ミラー９１ｃ、９１ｍ、９１ｙ、９１ｋの反射光が入射され、入射されたレーザー光を、第１アパーチャー４１３を介してシリンドリカルレンズ４１４（図３参照）に向けて反射する。
【００５０】
次に、図４〜図７を参照して、第１ミラー９１の構成について説明する。図５は、ビーム生成部９の構成部品を装着しない状態のケーシング９０を示す斜視図である。図６は、図４に示す第１ミラー９１ｃ近傍の拡大図である。図７は、ビーム生成部９の構成部品を装着しない状態のケーシング９０を示す斜視図である。図５、及び、図７に示すように、第１ベース９１２ｃ及び固定部材９１１ｃは、ケーシング９０に立設され、第１ベース９１２ｃ及び固定部材９１１ｃに第１ミラー９１ｃが配置される。１対の第１ベース９１２ｃは、第１ミラー９１ｃのミラー面側の両端を支持する。第１ベース９１２ｃは、棒状の部材であって、第１ミラー９１ｃを支持する側の面は、平面状に形成されている。
【００５１】
以下の説明では、第１ベース９１２ｃの第１ミラー９１ｃを支持する側の面を、「第１ミラー支持面」という。第１ベース９１２ｃの金型抜き方向は、図５、及び、図７の紙面手前側である。よって、上記第１ミラー支持面の上端が、上記第１ミラー支持面の下端の直上に対して固定部材９１１ｃと反対側に位置するように、上記第１ミラー支持面は傾斜している。上記第１ミラー支持面の傾斜角は、例えば、０．５度である。傾斜角とは、ケーシング９０の水平方向の面に対して垂直な線と、第１ベース９１２ｃの第１ミラー９１ｃを支持する側の面とのなす角である。そこで、第１ミラー９１ｃの上端が、第１ミラー９１ｃの下端の直上に対して、固定部材９１１ｃと反対側に位置するように、第１ミラー９１ｃが傾斜して配置される。よって、第１ミラー９１ｃのミラー面は、下向き（図４及び図６では、紙面奥向き）に傾斜する。したがって、第１ベース９１２ｃの金型抜き方向に基づいて規定される傾斜角によって、第１ミラー９１ｃの出射光は、下側（図４及び図６では、紙面奥側）にずれるため、第２ミラー９２への入射光は下側にずれる。
【００５２】
図４及び図６に戻って、第１ミラー９１ｃは、板バネ９１３ｃによって、第１ベース９１２ｃ側に押圧され固定されている。板バネ９１３ｃの一方端は、固定部材９１１によって、ケーシング９０に固定されている。板バネ９１３ｃの他方端は、第１ミラー９１を押圧している。固定部材９１１ｃは、図５及び図７に示すように、ケーシング９０に立設されている。固定部材９１１ｃ、第１ベース９１２ｃ、及び、板バネ９１３ｃは、「第１ミラー受け部」を構成している。
【００５３】
次に、図８及び図９を参照して、第２ミラー９２の構成について説明する。図８は、露光部４１のビーム生成部９を第１ミラー９１の裏面側からから見た斜視図である。図９は、ビーム生成部９の構成部品を装着しない状態のケーシング９０を示す斜視図である。図９に示すように、第２ベース９２２及び固定部材９２１はケーシング９０に立設され、第２ベース９２２及び固定部材９２１に第２ミラー９２が配置される。第２ベース９２２は、門型に形成され、第２ミラー９２のミラー面側の両端を支持する。第２ベース９２２は、板状の部材であって、第２ベース９２２の第２ミラー９２を支持する側の面は、平面状に形成されている。
【００５４】
第２ミラー９２は、板バネ９２３によって、第２ベース９２２側に押圧され固定されている。板バネ９２３の一方端は、固定部材９２１によって、ケーシング９０に固定されている。板バネ９２３の他方端は、第２ミラー９２を押圧している。固定部材９２１は、図９に示すように、ケーシング９０に立設されている。固定部材９２１、第２ベース９２２、及び、板バネ９２３は、「第２ミラー受け部」を構成している。
【００５５】
以下の説明では、第２ベース９２２の第２ミラー９２を支持する側の面を、「第２ミラー支持面」という。第２ベース９２２の金型抜き方向は、図９の紙面手前側である。よって、上記第２ミラー支持面の上端は、上記第２ミラー支持面の下端の直上に対して固定部材９２１と反対側に位置するように、上記第２ミラー支持面は傾斜している。上記第２ミラー支持面の傾斜角は、例えば、上記第１ミラー支持面の傾斜角と同じ０．５度である。そこで、第２ミラー９２の上端が、第２ミラー９２の下端の直上に対して、固定部材９２１と反対側に位置するように、第２ミラー９２が傾斜して配置される。よって、第２ミラー９２のミラー面は、下向き（図８では、紙面奥向き）に傾斜する。したがって、第２ベース９２２の金型抜き方向に基づいて規定される傾斜角によって、第２ミラー９２の出射光は、下側（図８では、紙面奥側）にずれる。上記第１ミラー支持面の傾斜角と上記第２ミラー支持面の傾斜角とを同一値にすることによって、シリンドリカルレンズ４１４に入射するレーザービームの位置ずれを抑制することができる。つまり、両者の傾斜角は、ほぼ同じ値にすることが好ましい。また、両者の傾斜角は、０．５度としているが、０．１度〜２．５度程度の範囲内であればよい。
【００５６】
図４に戻って、金型抜き方向の影響を以下に纏める。第１ベース９１２ｃの金型抜き方向に基づいて規定される傾斜角によって、第１ミラー９１の出射光は、図４の紙面奥側にずれる。その結果、第１ミラー９１から第２ミラー９２への入射光は図４の紙面奥側にずれることになる。一方、第２ベース９２２の金型抜き方向に基づいて規定される傾斜角によって、第２ミラー９２の出射光は、図４の紙面手前側にずれる。したがって、シリンドリカルレンズ４１４に入射するレーザービームの位置ずれを抑制することができる。
【００５７】
このようにして、第２ベース９２２の金型抜き方向が、第１ベース９１２の金型抜き方向と逆方向になるように第１ベース９１２及び第２ベース９２２がケーシング９０に配置されている。具体的には、第２ベース９２２がケーシング９０に対して第１ベース９１２の反対側（裏面側）に配置されている。したがって、簡素な構成でシリンドリカルレンズ４１４に入射するレーザービームの位置ずれを抑制することができる。
【００５８】
また、上述のように、光源部４１１は、４つの光源部４１１ｃ、４１１ｍ、４１１ｙ、４１１ｋを備えている。コリメートレンズ４１２は、４つのコリメートレンズ４１２ｃ、４１２ｍ、４１２ｙ、４１２ｋを備えている。第１ミラー９１は、４つの第１ミラー９１ｃ、９１ｍ、９１ｙ、９１ｋを備えている。また、第２ミラー９２は、１個配置され、４つの第１ミラー９１ｃ、９１ｍ、９１ｙ、９１ｋの反射光は、第２ミラー９２に入射する。よって、本発明の効果がより顕在化する。換言すれば、特許文献１に記載の光走査装置では、平行平板を４個配置する必要があるのに対して、本発明によれば、第２ミラー９２を支持する第２ベース９２２の金型抜き方向が、４つの第１ミラー９１ｃ、９１ｍ、９１ｙ、９１ｋをそれぞれ支持する４つの第１ベース９１２ｃ、９１２ｍ、９１２ｙ、９１２ｋの金型抜き方向と逆方向となるように、第１ベース９１２ｃ、９１２ｍ、９１２ｙ、９１２ｋ及び第２ベース９２２をケーシング９０に配置する。具体的には、第２ベース９２２の金型抜き方向が、第１ベース９１２ｃ、９１２ｍ、９１２ｙ、９１２ｋの金型抜き方向と逆方向になるように第１ベース９１２ｃ、９１２ｍ、９１２ｙ、９１２ｋ及び第２ベース９２２をケーシング９０に配置する。
【００５９】
更に、上述のように第２ミラー９２を支持する第２ベース９２２は、第１ミラー９１を支持する第１ベース９１２が形成されているケーシング９０の面（図４では紙面手前側の面）と反対側の面（図４では紙面奥側の面）に形成されている。したがって、更に簡素な構成でシリンドリカルレンズ４１４に入射するレーザービームの位置ずれを抑制することができる。
【００６０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６１】
（１）本実施形態では、第１ミラー９１及び第２ミラー９２が、それぞれ、ベース９１２、９２２に板バネ９１３、９２３によって固定されている形態について説明したが、第１ミラー９１及び第２ミラー９２が、板バネとは異なる種類の部材で、それぞれ、第１ベース９１２、９２２に固定されている形態でもよい。例えば、第１ミラー９１及び第２ミラー９２が、接着剤で、それぞれ、ベース９１２、９２２に固定されている形態でもよい。
【００６２】
（２）本実施形態では、第１ミラー９１が、４つの第１ミラー９１ｃ、９１ｍ、９１ｙ、９１ｋを備える形態について説明したが、第１ミラー９１が、１つ以上配置される形態であればよい。第１ミラー９１の個数が多い程、本発明の効果が顕在化する。
【００６３】
（３）本実施形態では、露光部４１が画像形成装置１に配置される形態について説明したが、露光部４１がその他の装置に配置される形態でもよい。
【００６４】
（４）本実施形態では、露光部４１の一部（ビーム生成部９）が１つのケーシング９０に配置されている形態について説明したが、露光部４１全体が１つのケーシングに配置されている形態でもよい。
【産業上の利用可能性】
【００６５】
本発明は、光走査装置及び画像形成装置に利用可能である。
【符号の説明】
【００６６】
１    画像形成装置
２    給紙部
３    トナー補給ユニット
４    画像形成ユニット
４１    露光部（光走査装置）
４１１    光源部
４１２    コリメートレンズ（ビーム補正器）
４１３    第１アパーチャー
４１４    シリンドリカルレンズ（ビーム収束器）
４１５    第２アパーチャー
４１６    ポリゴンミラー
４１７    ｆ−θレンズ
４１８    ＢＤセンサー
９    ビーム生成部
９０    ケーシング
９１    第１ミラー
９１ｃ、９１ｍ、９１ｙ、９１ｋ    第１ミラー
９１１    固定部材（第１ミラー受け部の一部）
９１１ｃ、９１１ｍ、９１１ｙ、９１１ｋ    固定部材（第１ミラー受け部の一部）
９１２    第１ベース（第１ミラー受け部の一部）
９１２ｃ、９１２ｍ、９１２ｙ、９１２ｋ    ベース（第１ミラー受け部の一部）
９１３    板バネ（第１ミラー受け部の一部）
９１３ｃ、９１３ｍ、９１３ｙ、９１３ｋ    板バネ（第１ミラー受け部の一部）
９２    第２ミラー
９２１    固定部材（第２ミラー受け部の一部）
９２２    第２ベース（第２ミラー受け部の一部）
９２３    板バネ（第２ミラー受け部の一部）
【図１】
0006413904.tif 000002
【図２】
0006413904.tif 000003
【図３】
0006413904.tif 000004
【図４】
0006413904.tif 000005
【図５】
0006413904.tif 000006
【図６】
0006413904.tif 000007
【図７】
0006413904.tif 000008
【図８】
0006413904.tif 000009
【図９】
0006413904.tif 000010